(57)【特許請求の範囲】
【請求項１】
警報状態又は故障状態の検出時に該警報状態又は故障状態を音声又は表示により報知すると共に、前記警報状態又は故障状態の内容を示す報知信号の外部からの入力時に該報知信号の示す前記警報状態又は故障状態を音声又は表示により報知する警報器に接続され、
音声又は表示による警報出力機能を有さず、他の無線装置との間で無線による情報を送受信する電池駆動式の無線装置であって、
前記電池の残量又は該残量に対応する物理量を検出する残量検出手段と、
前記残量検出手段により検出される前記電池の残量又は該残量に対応する物理量が、予め定められた閾値まで低下したか否かを判別する残量低下判別手段と、
前記残量検出手段により検出される前記電池の残量又は該残量に対応する物理量が、予め定められた閾値まで低下したと前記残量低下判別手段が判別した場合に、前記電池の残量低下の状態を音声又は表示により報知させるための残量低下信号を、接続先の前記警報器に出力する残量低下報知手段と、
を備えることを特徴とする無線装置。
【請求項２】
前記残量検出手段により検出される前記電池の残量又は該残量に対応する物理量が、予め定められた閾値まで低下したと前記残量低下判別手段が判別した場合に、前記残量低下信号の示す前記電池の残量低下状態に相当する残量低下データを他の無線装置に無線で送信する残量低下データ送信手段と、他の無線装置から無線で送信された前記残量低下データを受信する残量低下データ受信手段とをさらに備えており、該残量低下データ受信手段が前記残量低下データを無線で受信した場合に前記残量低下報知手段は、該残量低下データの示す他の無線装置における前記電池の残量低下状態を音声又は表示により報知させるための残量低下信号を、接続先の前記警報器に出力する請求項１記載の無線装置。
【請求項３】
他の無線装置のとの間で無線による情報の送受信を行い、音声又は表示による警報出力機能を有さない電池駆動式の無線装置に接続され、警報状態又は故障状態の検出時に該警報状態又は故障状態を音声又は表示により報知し、かつ、前記警報状態又は故障状態の内容を示す報知信号を接続先の前記無線装置に出力すると共に、接続先の前記無線装置からの前記報知信号の入力時に該報知信号の示す前記警報状態又は故障状態を音声又は表示により報知する警報器であって、
接続先の前記無線装置からの、該無線装置における駆動用電池の残量低下状態を報知させるための残量低下信号の入力時に、該残量低下信号の示す接続先の前記無線装置における前記駆動用電池の残量低下状態を音声又は表示により報知する電池残量低下報知手段をさらに備える、
ことを特徴とする警報器。
【請求項４】
接続先の前記無線装置からの、該無線装置の通信相手の他の無線装置における駆動用電池の残量低下状態を報知させるための第２残量低下信号の入力時に、該第２残量低下信号の示す通信相手の前記無線装置の前記駆動用電池の残量低下状態を音声又は表示により報知する第２電池残量低下報知手段をさらに備える請求項３記載の警報器。
【発明の詳細な説明】
【技術分野】
【０００１】
本発明は、警報状態又は故障状態の検出時にその警報状態又は故障状態を音声又は表示により報知すると共に、警報状態又は故障状態の内容を示す報知信号の外部からの入力時にその報知信号の示す警報状態又は故障状態を音声又は表示により報知する警報器と、この警報器に接続されて、他の無線装置との間で無線による情報の送受信を行う電池駆動式の無線装置とに関するものである。
【背景技術】
【０００２】
例えばガス漏れ警報器の分野においては、従来から、複数のガス漏れ警報器どうしを接続して、あるガス漏れ警報器でガス漏れが検出されて警報が出力されたときに、接続されている他のガス漏れ警報器においても、他のガス漏れ警報器におけるガス漏れの検出を報知するための警報を出力させるようにしたものが知られている（例えば特許文献１）。
【０００３】
上記したようなガス漏れ警報器どうしの接続は、元来有線接続によって行うのが一般的であったが、近年では、ガス漏れ警報器を設置する家屋の大型化に伴い、長距離の配線を必要としないで済むように、ガスメータとガス漏れ警報器との間の接続にも使われている、無線による接続が用いられることが考えられる。
【特許文献１】特開昭６２−５０９９８号公報
【発明の開示】
【発明が解決しようとする課題】
【０００４】
ところが、上述した構成を可能とするために使用される無線装置は、一般に内部の電池を電源としていることから、折角、ガス漏れを検出したガス漏れ警報器以外の他のガス漏れ警報器でも警報を出力できるように構成しても、電池が残量不足状態であると、実際には無線通信の停止で他のガス漏れ警報器における警報の出力が実行されなくなってしまい、所期の目的が達成できなくなってしまう。
【０００５】
そうかと言って、無線装置自身にガス漏れ警報器のような音声又は表示による警報出力機能を設けるのは、無線装置のコストアップを招いてしまうので好ましくない。
【０００６】
そして、この問題は、複数のガス漏れ警報器を相互に接続する場合に限らず、火災報知器や防犯用の警報器（窓センサ等の）といった、警報状態や故障状態の検出時にその状態を音声又は表示により報知する警報器どうしを、無線装置を用いて接続して運用する場合に、広く当てはまるものである。
【０００７】
本発明は前記事情に鑑みなされたもので、本発明の目的は、警報状態又は故障状態の検出時にその状態を音声又は表示により報知する警報器を、電池駆動式の無線装置を介して相互に接続して、ある警報器で検出した警報状態又は故障状態を自身だけでなく他の警報器においても報知するに当たり、無線装置の電源としての電池の残量が低下した際に、その旨を効率的に認識させることのできる無線装置と警報器とを提供することにある。
【課題を解決するための手段】
【０００８】
上記目的を達成する請求項１及び請求項２記載の本発明は無線装置に関するものであり、請求項３及び請求項４記載の本発明は警報器に関するものである。
【０００９】
そして、請求項１に記載した本発明の無線装置は、図１の基本構成図に記載したように、警報状態又は故障状態の検出時に該警報状態又は故障状態を音声又は表示により報知すると共に、前記警報状態又は故障状態の内容を示す報知信号の外部からの入力時に該報知信号の示す前記警報状態又は故障状態を音声又は表示により報知する警報器１，４に接続され、該警報器１，４が外部との間で授受する信号を無線で送受信する、音声又は表示による警報出力機能を有さず、他の無線装置との間で無線による情報を送受信する電池駆動式の無線装置であって、前記電池Ｖの残量又は該残量に対応する物理量を検出する残量検出手段Ａと、前記残量検出手段Ａにより検出される前記電池Ｖの残量又は該残量に対応する物理量が、予め定められた閾値まで低下したか否かを判別する残量低下判別手段Ｂと、前記残量検出手段Ａにより検出される前記電池Ｖの残量又は該残量に対応する物理量が、予め定められた閾値まで低下したと前記残量低下判別手段Ｂが判別した場合に、前記電池Ｖの残量低下の状態を音声又は表示により報知させるための残量低下信号を、接続先の前記警報器１，４に出力する残量低下報知手段Ｃとを備えることを特徴とする。
【００１０】
また、請求項２に記載した本発明の無線装置は、請求項１に記載した本発明の無線装置において、前記残量検出手段Ａにより検出される前記電池Ｖの残量又は該残量に対応する物理量が、予め定められた閾値まで低下したと前記残量低下判別手段Ｂが判別した場合に、前記残量低下信号の示す前記電池Ｖの残量低下状態に相当する残量低下データを他の無線装置に無線で送信する残量低下データ送信手段Ｄと、他の無線装置から無線で送信された前記残量低下データを受信する残量低下データ受信手段Ｅとをさらに備えており、該残量低下データ受信手段Ｅが前記残量低下データを無線で受信した場合に前記残量低下報知手段Ｃは、該残量低下データの示す他の無線装置における前記電池Ｖの残量低下状態を音声又は表示により報知させるための残量低下信号を、接続先の前記警報器１，４に出力する構成とした。
【００１１】
さらに、請求項３に記載した本発明の警報器は、図２の基本構成図に記載したように、他の無線装置２，３のとの間で無線による情報の送受信を行い、音声又は表示による警報出力機能を有さない電池駆動式の無線装置２，３に接続され、警報状態又は故障状態の検出時に該警報状態又は故障状態を音声又は表示により報知し、かつ、前記警報状態又は故障状態の内容を示す報知信号を接続先の前記無線装置２，３に出力すると共に、接続先の前記無線装置２，３からの前記報知信号の入力時に該報知信号の示す前記警報状態又は故障状態を音声又は表示により報知する警報器であって、接続先の前記無線装置２，３からの、該無線装置２，３における駆動用電池Ｖの残量低下状態を報知させるための残量低下信号の入力時に、該残量低下信号の示す接続先の前記無線装置２，３における前記駆動用電池Ｖの残量低下状態を音声又は表示により報知する電池残量低下報知手段Ｆをさらに備えることを特徴とする。
【００１２】
また、請求項４に記載した本発明の警報器は、請求項３に記載した本発明の警報器において、接続先の前記無線装置２，３からの、該無線装置２，３の通信相手の他の無線装置２，３における駆動用電池Ｖの残量低下状態を報知させるための第２残量低下信号の入力時に、該第２残量低下信号の示す通信相手の前記無線装置２，３の前記駆動用電池Ｖの残量低下状態を音声又は表示により報知する第２電池残量低下報知手段Ｇをさらに備える構成とした。
【発明の効果】
【００１３】
請求項１に記載した本発明の無線装置によれば、警報器１，４に接続される、音声又は表示による警報出力機能を有さず、他の無線装置との間で無線による情報を送受信する無線装置の、残量検出手段Ａにより検出される電池Ｖの残量又は該残量に対応する物理量が、予め定められた閾値まで低下したと残量低下判別手段Ｂにより判別されると、電池Ｖの残量低下の状態を音声又は表示により報知させるための残量低下信号が、残量低下報知手段Ｃによって接続先の警報器１，４に出力されることとなる。
【００１４】
このため、無線装置の電池Ｖの残量又は該残量に対応する物理量が予め定められた閾値まで低下したことを、その無線装置に接続された警報器１，４において音声又は表示により報知させて、無線装置自身に報知のための構成を持たせなくても、無線装置の電池電圧の低下状態を効率的に認識させることができる。
【００１５】
また、請求項２に記載した本発明の無線装置によれば、請求項１に記載した本発明の無線装置において、残量検出手段Ａにより検出される電池Ｖの残量又は該残量に対応する物理量が、予め定められた閾値まで低下したと残量低下判別手段Ｂにより判別されると、残量低下報知手段Ｃによって接続先の警報器１，４に出力される残量低下信号の示す電池Ｖの残量低下状態に相当する残量低下データが、残量低下データ送信手段Ｄによって他の無線装置に無線で送信され、この残量低下データを残量低下データ受信手段Ｅによって受信した他の無線装置において、受信した残量低下データの示す、他の無線装置における電池Ｖの残量低下状態を音声又は表示により報知させるための残量低下信号が、残量低下報知手段Ｃによって接続先の警報器１，４に出力されることとなる。
【００１６】
このため、無線装置の電池Ｖの残量又は該残量に対応する物理量が予め定められた閾値まで低下したことを、その無線装置と無線で信号の送受信を行う他の無線装置に接続された警報器１，４においても、音声又は表示により報知させて、無線装置の電池電圧の低下状態を広域的に報知させてより効率的に認識させることができる。
【００１７】
さらに、請求項３に記載した本発明の警報器によれば、音声又は表示による警報出力機能を有さない無線装置であり、接続先の無線装置から残量低下信号が入力されると、その残量低下信号の示す接続先の無線装置における駆動用電池Ｖの残量低下状態が、電池残量低下報知手段Ｆによって音声又は表示により報知されることとなる。
【００１８】
このため、接続先の無線装置の駆動用電池Ｖの電池残量が低下したことを音声又は表示により報知させて、無線装置自身に報知のための構成を持たせなくても、無線装置の電池電圧の低下状態を効率的に認識させることができる。
【００１９】
また、請求項４に記載した本発明の警報器によれば、請求項３に記載した本発明の警報器において、接続先の無線装置から、その無線装置の通信相手の他の無線装置における駆動用電池Ｖの残量低下状態を報知させるための第２残量低下信号が入力されると、その第２残量低下信号の示す通信相手の無線装置における駆動用電池Ｖの残量低下状態が、第２電池残量低下報知手段Ｆによって音声又は表示により報知されることとなる。
【００２０】
このため、接続先の無線装置以外の、その通信相手である無線装置における駆動用電池Ｖの電池残量低下状態についても、音声又は表示により報知させて、広域に亘る無線装置の電池電圧の低下状態を効率的に認識させることができる。
【発明を実施するための最良の形態】
【００２１】
以下、本発明の実施形態について図面を参照しながら説明する。
【００２２】
図３は本発明を適用してガス漏れ警報器どうしを無線で相互に接続した自動連携システムの第１実施形態を示すブロック図、図４は図３の自動連携システムにおける無線ユニットの構成例を示すブロック図である。
【００２３】
図３に示す本実施形態の自動連携システムは、ガス漏れ警報器１，４（請求項中の警報器に相当。）と、ガス漏れ警報器１，４にそれぞれ接続された無線ユニット２，３（請求項中の無線装置に相当。）とを含む。ガス漏れ警報器１，４と無線ユニット２，３は一つの建物の異なる場所にそれぞれ設置され、各無線ユニット２，３が無線通信を相互に行うことで、警報の相互報知動作を行う。
【００２４】
ガス漏れ警報器１，４は、都市ガスやプロパンガスの成分を検出するセンサによりガスを検知して警報信号（請求項中の報知信号に相当。）を生成、出力する従来公知のものであり、検知時に音声（警報音、警報メッセージ）により報知する機能を内蔵している。
【００２５】
なお、ガス漏れ警報器１，４の音声報知機能は、自身がガスの漏洩や火災の発生を検知した場合だけでなく、無線ユニット２，３を介して外部から入力される信号（他の無線ユニット２，３に接続されたガス漏れ警報器１，４から出力される警報信号に基づいた警報報知信号）によっても作動させることができる。
【００２６】
以上の動作を行うガス漏れ警報器１，４が、内部に有するマイクロコンピュータ（図示せず）によって行う具体的な処理の要部は、図５のフローチャートに示すとおりである。
【００２７】
まず、ガス漏れ状態を検出したか否かを確認し（ステップＳ１）、検出した場合は（ステップＳ１でＹ）、ガス漏れを検出したことを音声出力により報知すると共に（ステップＳ３）、ガス漏れを検出した旨を示す警報信号を生成して、接続先の無線ユニット２，３のポートＰｉｏに出力した後（ステップＳ５）、ステップＳ１にリターンする。
【００２８】
一方、ガス漏れ状態を検出していない場合は（ステップＳ１でＮ）、接続先の無線ユニット２，３からそのポートＰｉｏを介して警報信号が入力されたか否かを確認し（ステップＳ７）、入力された場合は（ステップＳ７でＹ）、他のガス漏れ警報器１，４においてガス漏れが検出されたことを音声出力により報知した後（ステップＳ９）、ステップＳ１にリターンする。
【００２９】
また、ステップＳ７において、接続先の無線ユニット２，３からそのポートＰｉｏを介して警報信号が入力されていない場合（Ｎ）は、接続先の無線ユニット２，３からそのポートＰｉｏを介して残量低下信号が入力されたか否かを確認し（ステップＳ１１）、入力されていない場合は（ステップＳ１１でＮ）、ステップＳ１にリターンする。
【００３０】
これに対して、接続先の無線ユニット２，３から残量低下信号が入力された場合は（ステップＳ１１でＹ）、入力された残量低下信号が接続先の無線ユニット２，３の電池Ｖの電圧低下状態を示すものであるか否かを確認する（ステップＳ１３）。
【００３１】
接続先の無線ユニット２，３における電池Ｖの電圧低下状態を示すものである場合は（ステップＳ１３でＹ）、接続先の無線ユニット２，３において電池Ｖの電圧が低下状態にある旨を音声出力により報知した後（ステップＳ１５）、ステップＳ１にリターンし、接続先の無線ユニット２，３とは別の他の無線ユニット２，３における電池Ｖの電圧低下状態を示すものである場合は（ステップＳ１３でＮ）、接続先以外の無線ユニット２，３において電池Ｖの電圧が低下状態にある旨を音声出力により報知した後（ステップＳ１７）、ステップＳ１にリターンする。
【００３２】
以上の説明からも明らかなように、本実施形態のガス漏れ警報器１，４では、図５のフローチャートにおけるステップＳ１１乃至ステップＳ１５が、請求項中の電池残量低下報知手段Ｆに対応する処理となっており、図５中のステップＳ１１、ステップＳ１３、及び、ステップＳ１７が、請求項中の第２電池残量低下報知手段Ｇに対応する処理となっている。
【００３３】
無線ユニット２，３は、図４に示すように、通信用高周波回路部ＲＦと変復調処理用デジタル処理回路部ＤＰと制御用マイクロコンピュータ部（以下、「マイコン部」と略記する。）μＣＯＭとをワンチップ化した集積回路ＬＳＩと、ガス漏れ警報器１，４がそれぞれ接続されるポートＰｉｏと、不揮発性メモリＮＶＭと、通信用高周波回路部ＲＦに接続されたアンテナＡＴと、電源としての電池Ｖと、電池Ｖの電圧をＡ／Ｄ変換するＡ／Ｄ変換器ＣＯＮＶとを有しており、Ａ／Ｄ変換器ＣＯＮＶと不揮発性メモリＮＶＭはマイコン部μＣＯＭに接続されている。
【００３４】
なお、不揮発性メモリＮＶＭには、無線ユニット２，３が外部との無線通信において使用する自己の識別情報や、ガス漏れ警報器１，４が出力する警報信号のパルス波形パターンとそれにより示される警報内容（例えばガス漏れ、火災発生等）とを関連づけたテーブルとが、予め登録されている。
【００３５】
そして、マイコン部μＣＯＭでは、内部のＲＯＭ（図示せず）に格納された制御プログラムにしたがって、図６のメインルーチンのフローチャートで示す、電池残量報知処理（ステップＳ１９）と通信処理（ステップＳ２１）とが繰り返し実行される。
【００３６】
このうち、ステップＳ１９の電池残量報知処理では、図７のサブルーチンのフローチャートで示すように、Ａ／Ｄ変換器ＣＯＮＶを介して入力される電池Ｖの電圧のデジタル値から、電池Ｖの電圧レベルを検出し（ステップＳ１９ａ）、検出した電圧レベルが予め定められた閾値まで低下しているか否かを確認する（ステップＳ１９ｂ）。
【００３７】
検出した電池Ｖの電圧レベルが予め定められた閾値まで低下していない場合は（ステップＳ１９ｂでＮ）、電池残量報知処理を終了して、図６のフローチャートにおけるステップＳ２１の通信処理に移行する。
【００３８】
これに対し、検出した電池Ｖの電圧レベルが予め定められた閾値まで低下している場合は（ステップＳ１９ｂでＹ）、電池Ｖの電圧が低下状態にある旨を、ポートＰｉｏに接続されているガス漏れ警報器１，４において音声出力により報知させるための残量低下信号を生成して、ポートＰｉｏからガス漏れ警報器１，４に出力し（ステップＳ１９ｃ）、生成した残量低下信号の内容である、電池Ｖの電圧が低下状態にある旨を示す残量低下データを、不揮発性メモリＮＶＭに登録された自己の識別情報と共に、変復調処理用デジタル処理回路部ＤＰにて変調して通信用高周波回路部ＲＦ乃至アンテナＡＴから無線送信させた後（ステップＳ１９ｄ）、電池残量報知処理を終了して、図６のフローチャートにおけるステップＳ２１の通信処理に移行する。
【００３９】
ステップＳ２１の通信処理では、図８のサブルーチンのフローチャートで示すように、ガス漏れ警報器１，４からの警報信号がポートＰｉｏに入力されたか否かを確認し（ステップＳ２１ａ）、入力された場合は（ステップＳ２１ａでＹ）、不揮発性メモリＮＶＭに登録されたテーブルを参照して、入力された警報信号のパルス波形パターンから発生した警報内容を判別する（ステップＳ２１ｂ）。
【００４０】
そして、判別した警報信号の警報内容を示す警報発生データを、不揮発性メモリＮＶＭに登録された自己の識別情報と共に、変復調処理用デジタル処理回路部ＤＰにて変調して通信用高周波回路部ＲＦ乃至アンテナＡＴから無線送信させた後（ステップＳ２１ｃ）、通信処理を終了して、図６のフローチャートにおけるステップＳ１９の電池残量報知処理に移行する。
【００４１】
これに対して、ステップＳ２１ａにおいてガス漏れ警報器１，４からの警報信号がポートＰｉｏに入力されていない場合（Ｎ）は、他の無線ユニット２，３からの警報発生データが、アンテナＡＴ乃至通信用高周波回路部ＲＦで受信され変復調処理用デジタル処理回路部ＤＰにて復調されて入力されたか否かを確認する（ステップＳ２１ｄ）。
【００４２】
他の無線ユニット２，３からの警報発生データが入力された場合は（ステップＳ２１ｄでＹ）、同じ建物内の他の場所で、警報発生データに示されている警報状態が、他の無線ユニット２，３に接続されたガス漏れ警報器１，４において発生したことを、ポートＰｉｏに接続されているガス漏れ警報器１，４において音声出力により報知させるための警報報知信号を生成して、ポートＰｉｏからガス漏れ警報器１，４に出力した後（ステップＳ２１ｅ）、通信処理を終了して、図６のフローチャートにおけるステップＳ１９の電池残量報知処理に移行する。
【００４３】
一方、他の無線ユニット２，３からの警報発生データが入力されていない場合は（ステップＳ２１ｄでＮ）、他の無線ユニット２，３からの残量低下データが、アンテナＡＴ乃至通信用高周波回路部ＲＦで受信され変復調処理用デジタル処理回路部ＤＰにて復調されて入力されたか否かを確認し（ステップＳ２１ｆ）、入力されていない場合は（ステップＳ２１ｆでＮ）、通信処理を終了して、図６のフローチャートにおけるステップＳ１９の電池残量報知処理に移行する。
【００４４】
これに対して、他の無線ユニット２，３からの残量低下データが入力された場合は（ステップＳ２１ｆでＹ）、同じ建物内の他の場所に設置された他の無線ユニット２，３において、電池Ｖの電圧が低下状態にある旨を、ポートＰｉｏに接続されているガス漏れ警報器１，４において音声出力により報知させるための残量低下信号を生成して、ポートＰｉｏからガス漏れ警報器１，４に出力した後（ステップＳ２１ｇ）、通信処理を終了して、図６のフローチャートにおけるステップＳ１９の電池残量報知処理に移行する。
【００４５】
以上の説明からも明らかなように、本実施形態の無線ユニット２，３では、図７のフローチャートにおけるステップＳ１９ａが、請求項中の残量検出手段Ａに対応する処理となっており、図７中のステップＳ１９ｂが、請求項中の残量低下判別手段Ｂに対応する処理となっており、さらに、図７中のステップＳ１９ｃが、請求項中の残量低下報知手段Ｃに対応する処理となっている。
【００４６】
また、本実施形態の無線ユニット２，３では、図７中のステップＳ１９ｄが、請求項中の残量低下データ送信手段Ｄに対応する処理となっていると共に、図８中のステップＳ２１ｆが、請求項中の残量低下データ受信手段Ｅに対応する処理となっている。
【００４７】
次に、上述のように構成された本実施形態の自動連係システムの動作（作用）について説明する。
【００４８】
まず、ガス漏れ警報器１，４において警報状態が検出されると、自身において警報が音声等により出力されると共に、検出した警報状態に応じてパルス波形パターンの異なる警報信号が無線ユニット２，３に出力される。
【００４９】
すると、ポートＰｉｏから警報信号が入力された無線ユニット２，３において、警報信号のパルス波形パターンによって示される警報内容を示す警報発生データが、無線通信により送信される。
【００５０】
この警報発生データを他の受信した他の無線ユニット２，３では、自身に接続されたガス漏れ警報器１，４への警報報知信号の出力が行われ、警報状態を検出したガス漏れ警報器１，４と同じ建物内に設置されたガス漏れ警報器１，４において、他のガス漏れ警報器１，４において発生した警報状態の報知動作が、音声報知機能を用いて行われる。
【００５１】
また、無線ユニット２，３において、電池Ｖの電圧が予め定められた閾値まで低下すると、その無線ユニット２，３に接続されたガス漏れ警報器１，４において、自身に接続された無線ユニット２，３の電池Ｖが電圧低下状態にある旨の報知動作が、音声報知機能を用いて行われると共に、他の無線ユニット２，３に接続された他のガス漏れ警報器１，４においても、自身に接続された無線ユニット２，３ではない他の無線ユニット２，３において、電池Ｖが電圧低下状態にある旨の報知動作が、音声報知機能を用いて行われる。
【００５２】
このように本実施形態の自動連係システムによれば、無線ユニット２，３自身に音声報知機能を設けなくても、無線ユニット２，３の電池Ｖの電圧低下状態を、その無線ユニット２，３に接続されたガス漏れ警報器１，４の音声報知機能を利用して報知することができる。
【００５３】
なお、電池Ｖの電圧が低下した無線ユニット２，３以外の他の無線ユニット２，３に接続されたガス漏れ警報器１，４においても電圧低下状態の報知を行うための構成は、省略してもよいが、この構成を設ければ、電池Ｖの電圧が低下した無線ユニット２，３の設置場所以外の場所でも、他の場所に設置された無線ユニット２，３における電池Ｖの電圧低下状態を把握できるようになるので、有利である。
【００５４】
また、本発明が適用される無線装置に接続される警報器は、上述した実施形態に示したガス漏れ警報器１，４や火災警報器のような、警報状態の発生時に警報信号を出力するものに限定されず、例えば、内部の回路やセンサの故障状態を定期的に検出してその報知信号を無線装置（外部）に出力するような警報器であってもよい。
【００５５】
そして、警報器が行う警報状態や故障状態の報知は、音声によるものに限らず表示等によるものであってもよく、そのような警報器であっても本発明の適用対象となり得ることは、言うまでもない。
【図面の簡単な説明】
【００５６】
【図１】本発明に係る無線装置の基本構成図である。
【図２】本発明に係る警報器の基本構成図である。
【図３】本発明を適用してガス漏れ警報器どうしを無線で相互に接続した自動連携システムの第１実施形態を示すブロック図である。
【図４】図３の自動連携システムにおける無線ユニットの構成例を示すブロック図である。
【図５】図３のガス漏れ警報器が内部のマイクロコンピュータによって行う処理の要部を示すフローチャートである。
【図６】図４の無線ユニットのマイコン部が内部のＲＯＭに格納された制御プログラムにしたがって実行する処理のメインルーチンのフローチャートである。
【図７】図６のフローチャートにおける電池残量報知処理のサブルーチンのフローチャートである。
【図８】図６のフローチャートにおける通信処理のサブルーチンのフローチャートである。
【符号の説明】
【００５７】
１，４  警報器
Ａ  残量検出手段
Ｂ  残量低下判別手段
Ｃ  残量低下報知手段
Ｄ  残量低下データ送信手段
Ｅ  残量低下データ受信手段
Ｆ  電池残量低下報知手段
Ｇ  第２電池残量低下報知手段
Ｖ  電池、駆動用電池
【図１】
0004674143.tif 000002
【図２】
0004674143.tif 000003
【図３】
0004674143.tif 000004
【図４】
0004674143.tif 000005
【図５】
0004674143.tif 000006
【図６】
0004674143.tif 000007
【図７】
0004674143.tif 000008
【図８】
0004674143.tif 000009